(57)【要約】【課題】積層しているカードから先頭のカードをピックアップするカードの供給において、カードピックアップ時に、カード集積部のカード同士の張り付き力を軽減させ、重送の不具合が無いカード供給装置を提供することを目的とする。【解決手段】カードを集積し排出する部位と押し板によるカード集積部への押圧力を緩和する部位と押し板によるカード集積部を押圧力を緩和した時にカード集積部を少し押圧する部位からなるカード供給装置。カードを排出するときに、押し板の下面の溝部とリフト板の上面の溝部を勘合させ、さらに、押し板を、カード集積部とは反対側に、移動させることによって、押し板のカードへの押圧力を緩和する。【選択図】図１
2018193143.tif 000002
【特許請求の範囲】
【請求項１】
カード供給装置であって、
レール上に縦置きのカードが密接するカード集積部と、
前記カード集積部のカードに接する押し板と、
前記押し板により前記カード集積部のカードを押圧する押し板付勢手段と、
前記カード集積部端のカードを、カード排出口に排出するピックアップローラと、
カード集積部の下に、カード整列方向と垂直方向に沿って三角波形状の溝部を上面表面に有するリフト板と、
前記押し板の下面表面に、カード整列方向と垂直方向に沿って三角波形状の溝部と、
前記リフト板に接合されたカムフォロア部と、
前記カムフォロア部が接触する直動カムと、
前記直動カムに接続されたカード整列方向の駆動軸を有し、前記駆動軸により前記直動カムを駆動して、前記直動カムに接した前記カムフォロア部に接合された前記リフト板を、前記リフト板が前記押し板に接触していない第１の位置と、第１の位置の前記リフト板の高さ位置より上方の位置で前記押し板の下面の溝部と前記リフト板の上面の溝部が嵌合する第２の位置と、第２の位置の前記リフト板の高さ位置のままで前記押し板付勢手段の方向へ若干水平移動する第３の位置との間で位置変更させるアクチュエータと、
前記押し板側面中央部の凹部に前記カード集積部のカードに接する小型押し板と、
カード集積部のカードを押圧する小型押し板付勢手段と、
を備えたことを特徴とするカード供給装置。
【発明の詳細な説明】
【技術分野】
【０００１】
本発明は、カードプリンタなどにおいてカードを供給する装置に関する。
【背景技術】
【０００２】
カードプリンタなどにおいては、印刷前の複数のカードが積層状態にして装填され、この部位の複数のカードの内、先頭に位置するカード１枚だけをピックアップする機構が備えられているカード供給部がある（特許文献１、２参照）。
【先行技術文献】
【特許文献】
【０００３】
【特許文献１】特開平９−１３２３３４号公報
【特許文献２】特許４６９８８０９号公報
【発明の概要】
【発明が解決しようとする課題】
【０００４】
しかしながら、特許文献１、２等で示される従来のカード供給部においては、印刷前の複数のカードが積層状態にして装填され、この部位の複数のカードの内、先頭に位置するカード１枚だけをピックアップする時に、積層状態になったカードにおいてカードとカードの面同士が張り付いて、カードがピックアップできないことがあった。また、先頭とその隣のカードが密着した状態で同時にピックされてしまう（重送）こともあった。
【０００５】
カードを積層した場合、カードの面同士が静電気や鏡面密着により張り付くことが原因として考えられる。カードピックアップするときに、積層されているカード同士の押圧力を下げることができれば、張り付きを軽減することができる。
【０００６】
本発明では、積層しているカードから先頭のカードをピックアップするカードの供給において、カードピックアップ時に、カード集積部のカード同士の張り付き力を軽減させ、重送の不具合が無いカード供給装置を提供することを目的とする。
【課題を解決するための手段】
【０００７】
本発明は上記課題を解決するためになされたもので、本発明の請求項１に係る発明は、カード供給装置であって、レール上に縦置きのカードが密接するカード集積部と、前記カード集積部のカードに接する押し板と、前記押し板により前記カード集積部のカードを押圧する押し板付勢手段と、前記カード集積部端のカードを、カード排出口に排出するピックアップローラと、カード集積部の下部に、カード整列方向と垂直方向に沿って三角波形状の溝部を上面表面に有するリフト板と、前記押し板の下面表面に、カード整列方向と垂直方向に沿って三角波形状の溝部と、前記リフト板に接合されたカムフォロア部と、前記カムフォロア部が接触する直動カムと、前記直動カムに接続されたカード整列方向の駆動軸を有し、前記駆動軸により前記直動カムを駆動して、前記直動カムに接した前記カムフォロア部に接合された前記リフト板を、前記リフト板が前記押し板に接触していない第１の位置と、第１の位置の前記リフト板の高さ位置より上方の位置で前記押し板の下面の溝部と前記リフト板の上面の溝部が嵌合する第２の位置と、第２の位置の前記リフト板の高さ位置のままで前記押し板付勢手段の方向へ若干水平移動する第３の位置との間で位置変更させるアクチュエータと、前記押し板側面中央部の凹部に前記カード集積部のカードに接する小型押し板と、カード集積部のカードを押圧する小型押し板付勢手段とを備えたことを特徴とするカード供給装置である。
【発明の効果】
【０００８】
積層しているカードから先頭のカードをピックアップするカードの供給において、カードピックアップ時に、カード集積部のカード同士の張り付き力を軽減させ、重送の不具合が無いカード供給装置を提供できる。
【図面の簡単な説明】
【０００９】
【図１】図１は本発明にかかるカード供給装置の実施形態を示す概略側面図である。
【図２】図２は本発明にかかるカード供給装置の実施形態を示す概略上面図（図１におけるＩＶ矢視図）である。
【図３】図３は本発明にかかるカード供給装置の実施形態を示す概略側面図（図１におけるＶ矢視図）である。
【図４】図４は本発明にかかるカード供給装置の実施形態において、押し板の凹部にある小型押し板の構造を示す概略側面図である。
【図５】図５は本発明にかかるカード供給装置の実施形態において、押し板の凹部にある小型押し板の構造を示す概略上面図（図４におけるＶＩ矢視図）である。
【図６】図６は本発明にかかるカード供給装置の実施形態において、直動カムの動作を模式的に説明する概略側面図である。
【発明を実施するための形態】
【００１０】
以下、本発明のカード供給装置について添付図面を参照して説明する。
【００１１】
カード供給装置２００は、カードを集積し排出する部位と、カード集積部を押圧する付勢力を緩和する機構と、カード集積部を押圧する付勢力を緩和した時にカード集積部を少し押圧する機構から構成される。
【００１２】
カードを集積し排出する部位は、レール４５上に縦置きのカード１が密接するカード集積部２と、カード集積部２のカード１に接する押し板１０と、押し板１０によりカード集積部２のカード１を押圧する押し板付勢手段１５と、カード集積部２端のカードを、カード排出口６０に排出するピックアップローラ３０とから構成される。
【００１３】
押し板１０によるカード集積部への押圧力を緩和する部位は、カード集積部２の下に、カード整列方向と垂直方向に沿って三角波形状の溝部１００を上面表面に有するリフト板５０と、押し板１０の下面表面に、カード整列方向と垂直方向に沿って三角波形状の溝部９０と、リフト板５０に接合されたカムフォロア部７７と、カムフォロア部７７が接触する直動カム７０と、直動カム７０に接続されたカード整列方向の駆動軸８５を有し、駆動軸８５により直動カム７０を駆動して、直動カム７０に接したカムフォロア部７７に接合されたリフト板５０を、リフト板５０が押し板１０に接触していない第１の位置と、第１の位置のリフト板５０の高さ位置より上方の位置で押し板１０の下面の溝部９０とリフト板５０の上面の溝部１００が嵌合する第２の位置と、第２の位置のリフト板５０の高さ位置のままで押し板付勢手段１５の方向へ若干水平移動する第３の位置との間で位置変更させるアクチュエータ８０から構成される。
【００１４】
押し板１０によるカード集積部を押圧力を緩和した時にカード集積部を少し押圧する部位は、押し板１０側面中央部の凹部にカード集積部２のカード１に接する小型押し板２０と、カード集積部のカードを押圧する小型押し板付勢手段２５とを備える。
【００１５】
次にカード供給装置２００の動作を説明する。
【００１６】
図１、２に示すように複数のカード１からなるカード集積部２がレール４５の上に、カード側面を、ガイド４０で支えながら、前後を、押し板１０とピックアップローラ３０にはさまれてある。カード集積部２の最後尾のカードを押し板１０が、壁１６と押し板１０の間に設置された付勢手段１５によって、押圧する。カード集積部２は、付勢手段１５の付勢力によって、カード同士が密接しながら、最前のカード１をピックアップローラ３０に押圧する。
【００１７】
カード集積部２の最前のカードは、カード集積部２内部の押圧を受けながらピックアップローラ３０の回転により、カード排出口６０に排出される。
【００１８】
カード集積部２の下に、カード整列方向と垂直方向に沿って三角波形状の溝部１００を上面表面に有するリフト板５０が、カード整列方向に沿ってある。リフト板５０の中央部下部には、リフト板基材５５が接合されており、リフト板基材５５下部にカムフォロア部７７が接合されている。
【００１９】
カムフォロア部下部に、直動カム７０が接しており、直動カム７０は、アクチュエータ８０から繰出される駆動軸８５に接続されており、駆動軸８５の伸長により、カム基材７５の上を、カード整列方向に、動くことができ、直動カム７０の水平位置によって、直動カム７０上面の高さは変化し、直動カム７０に接したカムフォロア部７７のローラは、直動カム７０上面の高さに沿って上下位置を変え、カムフォロア部７７が接合されたリフト板基材５５とそれに接合したリフト板５０も高さを変える。
【００２０】
また直動カム７０は、カード集積部２前端方向に、土手を有しており、直動カム７０をカード集積部２後端方向に動かし、カムフォロア部７７のローラが土手に接触する場合になり、さらに直動カム７０をカード集積部２後端方向に動かしたときは、カムフォロア部７７とリフト板基材５５とリフト板５０は、カード集積部２後端方向に動く（水平動）。
【００２１】
直動カム７０は、可動域は、カム基材７５上で、カードの整列方向に限定されているように、カム基材７５上に直動カム７０は組みつけられている（不図示）。
【００２２】
リフト板５０は、リフト板基材５５に接合され、リフト板基材５５は、スライド機構５６を介してリフト板基材支え５７に、結合されており、リフト板基材支え５７は、スライド機構５８を介して、スライド機構基材５９に結合されている。
【００２３】
リフト板５０は、直動カム７０の動きにより、上下動もしくは左右動する時に、姿勢を、リフト板５０の長手方向をカードの整列方向のままであるように、リフト板基材５５は、垂直方向へのスライドを、スライド機構５６によって実施し、また、リフト板基材５５がスライド機構５６を介して結合されているリフト板基材支え５７は、スライド機構５８によって、カードの整列方向のスライドを実施する。
【００２４】
図３に示されるように、カム基材７５は、リフト板基材支え５７を、貫通している。直動カム７０の水平動は、不動のカム基材７５に支えられ、また、直動カム７０の動きによる、リフト板５０の上下動、水平動の動きを、不動のカム基材７５とは関係なく、リフト板基材５５、カムフォロア部７７、スライド機構５６、リフト板基材支え５７、スライド機構５８、スライド機構基材５９によって、実施できる。
【００２５】
直動カム７０に接続されたカード整列方向の駆動軸８５が、アクチュエータ８０で駆動されることにより、直動カム７０を駆動する。
【００２６】
直動カム７０の駆動により、直動カム７０に上方から接触するカムフォロア部７７、カムフォロア部７７が結合するリフト板基材５５と、リフト板基材５５が結合するリフト板５０を、上下動、水平動を実施する。直動カム７０の駆動により、図６に示されるように
、次の３つのリフト板基材５５の位置が実現される。
【００２７】
（第１の位置）リフト板５０が押し板１０に接触していない第１の位置（図６（ａ））。
【００２８】
（第２の位置）第１の位置のリフト板５０の高さ位置より上方の位置で押し板１０の下面の溝部９０とリフト板５０の上面の溝部１００が嵌合する第２の位置（図６（ｂ））。
【００２９】
リフト板５０の上面表面に三角波形状の溝部１００を有し、押し板１０の下面表面にはカード整列方向と垂直方向に沿って三角波形状の溝部９０がある。リフト板５０の上昇によって、押し板１０の下面の溝部９０とリフト板５０の上面の溝部１００が嵌合する。
【００３０】
（第３の位置）第２の位置のリフト板５０の高さ位置のままで押し板付勢手段１５の方向へ若干水平移動する第３の位置（図６（ｃ））。
【００３１】
第２の位置の状態から、さらに、直動カム７０を駆動軸８５が、カード集積部２後端方向に、駆動すると、カムフォロア部７７のローラが、直動カム７０の土手に接触し、カムフォロア部７７とリフト板基材５５とそれに結合したリフト板５０を、押し板１０の下面の溝部９０とリフト板５０の上面の溝部１００が嵌合したままで、カード集積部後端方向に動かし、第３の位置を実現する。
【００３２】
直動カム７０の駆動によって、リフト板５０を、第１の位置から第２の位置、第２の位置から第３への位置に変更する。第２の位置で、押し板１０の下面の溝部９０とリフト板５０の上面の溝部１００が嵌合し、さらに第２の位置から第３の位置にするときに、押し板１０の下面の溝部９０とリフト板５０の上面の溝部１００が嵌合したまま、リフト板５０が付勢手段１５方向に動き、それに伴って、押し板１０も付勢手段１５方向に動く。リフト板５０の第１と第２の位置では押し板１０は、カード集積部２前端方向（ピックアップローラ３０方向）に、付勢手段１５により、カード集積部２を押圧していたが、リフト板５０の第２から第３への位置変化によって、押し板１０は、カード集積部２前端方向（ピックアップローラ３０方向）とは反対の付勢手段１５方向に動くので、押し板１０のカード集積部２のカード集積部２前端方向（ピックアップローラ３０方向）への押圧力が緩和される。
【００３３】
押し板１０側面中央部の凹部にカード集積部２のカードに接する小型押し板２０と、カード集積部のカードを押圧する小型押し板付勢手段２５とが備えられている。
【００３４】
リフト板５０の第２から第３への位置変化によって、押し板１０のカード集積部２のカード集積部２前端方向（ピックアップローラ３０方向）への押圧力が緩和されたときに、小型押し板付勢手段２５による小型押し板２０のカード集積部２のカードの押圧力が、支配的になる。押し板１０によるカード集積部２への押圧力が緩和されても、小型押し板２０によって、押し板１０によるカード集積部２への押圧力よりも小さい力で、押圧することによりカード集積部２の整列状態を維持する。
【００３５】
この第１から第３のリフト板５０の位置変化を、カードを排出するときに行うことによって、押し板１０のカード集積部２の押圧力を緩和することができる。
【００３６】
積層しているカードから先頭のカードをピックアップするカードの供給において、カードピックアップ時に、カード集積部のカード同士の張り付き力を軽減させ、重送の不具合が無いカード供給装置を提供できる。
【符号の説明】
【００３７】
１・・・カード
２・・・カード集積部
１０・・・押し板
１５・・・押し板付勢手段
１６・・・壁
２０・・・小型押し板
２５・・・小型押し板付勢手段
３０・・・ピックアップローラ
４０・・・ガイド
４５・・・レール
５０・・・リフト板
５５・・・リフト板基材
５６・・・スライド機構
５７・・・リフト板基材支え
５８・・・スライド機構
５９・・・スライド機構基材
６０・・・カード排出口
７０・・・直動カム
７５・・・カム基材
７７・・・カムフォロア部
８０・・・アクチュエータ
８５・・・駆動軸
９０・・・溝部
１００・・・溝部
２００・・・カード供給装置
【図１】
2018193143.tif 000003
【図２】
2018193143.tif 000004
【図３】
2018193143.tif 000005
【図４】
2018193143.tif 000006
【図５】
2018193143.tif 000007
【図６】
2018193143.tif 000008